(57)【特許請求の範囲】
【請求項１】
検査対象である一対のヘッドホンユニットとの間で交流ブリッジを形成すべく配置される抵抗値のそろった一対の固定抵抗と、形成された前記交流ブリッジの検出端に接続される平衡入力をもつ交流検流計と、前記ヘッドホンユニットのそれぞれを音響的に同一の状態とするなかで周波数をスイープして動インピーダンスの差を前記交流検流計に検出させるべく配置される正弦波発信器とで構成したことを特徴とするヘッドホンユニット検査装置。
【請求項２】
検査対象として用意される一対の前記ヘッドホンユニットは、完成ヘッドホンとして組み立てられる前または組み立てられた後のいずれかの状態
である請求項１に記載のヘッドホンユニット検査装置。
【発明の詳細な説明】
【技術分野】
【０００１】
本発明は、ステレオヘッドホン等のヘッドホンを構成している一対のヘッドホンユニットを人工耳に取り付けることなく音響特性のバラツキの有無を検査することができるヘッドホンユニット検査装置に関する技術である。
【背景技術】
【０００２】
動電型音響変換器は、振動板の共振による動インピーダンスをもっており、このような動電型音響変換器のひとつであるダイナミックヘッドホンは、共振周波数を比較的低い周波数に設定して設計される。
【０００３】
この場合、ダイナミックヘッドホンの共振周波数と共振鋭度とは、ヘッドホンユニット自体の出来具合に大きく依存しているためにバラツキも多くなる。特にステレオヘッドホンにおいては、このようなバラツキが音像定位や音質を劣化させる。
【０００４】
このようなステレオヘッドホンなどを含むヘッドホンを構成している左右の各ヘッドホンユニットは、一般にそれぞれのヘッドホンユニットに信号を各別に入力して音波を発生させて測定用の人工耳で測定して左右の相違を比較して検査されることが多い。
【０００５】
一方、ダイナミックヘッドホンユニットを含むヘッドホンユニットは、再生装置や受信装置から出力される電気信号を、耳に近接配置されるスピーカーを介して音波に変換するステレオヘッドホンに組み込んで用いられことから、音響性能にバラツキのないことが望まれている。
【０００６】
このような要請から行われるヘッドホンユニットの音響性能の測定は、通常、所定の周波数の測定信号を測定すべき音場に配置された組立工程中の測定対象たるヘッドホンユニットに加え、該ヘッドホンユニットから出力される音波を所定位置に設置してあるマイクロホンで収音し、検出された音波の出力をレベルメータで読み取らせ、該レベルメータに表示されている出力値に基づいてその適否を判断することにより行われている。
【０００７】
しかし、このような音響性能の測定手法は、ヘッドホンユニットの組立工程中でレベルメータに表示されている出力値をその都度読み取って目視確認する必要があるので、作業的に煩雑であるほか、時間もかかってしまうという問題があった。
【０００８】
また、各ヘッドホンユニットの周波数応答を確認する作業は、周波数をスイープさせながら測定信号をマイクロホンに加え、レベルメータに表示された周波数に対応するデータとして読み取られた出力値からヘッドホンユニットの良否を判別しなければならないという、さらなる煩雑さがあった。
【０００９】
本出願人は、このような問題を解決するものとして特許文献１に開示されているヘッドホンユニットの検査方法を既に提案している。
【先行技術文献】
【特許文献】
【００１０】
【特許文献１】特開２００８−２８３５６４号公報
【００１１】
そして、特許文献１に開示されているヘッドホンユニットの検査方法は、適正な音響特性を有する基準ヘッドホンユニットと被測定ヘッドホンユニットとを、相互の放音部同士が向かい合うように間隔を開けて配置し、所定の測定信号を基準ヘッドホンユニットに加えるとともに、同じ測定信号を基準ヘッドホンユニットとは逆相にして被測定ヘッドホンユニットにも加え、双方から出力される音波を基準ヘッドホンユニットと被測定ヘッドホンユニットとの間に配置されたマイクロホンで検出し、これを音響測定装置に表示して被測定ヘッドホンユニットの適否を判断するようにしたものである。
【００１２】
このため、特許文献１のヘッドホンユニットの検査方法によれば、所定の測定信号が印加されると、基準ヘッドホンユニットの放音部から出力される音波と、被測定ヘッドホンユニットの放音部から出力される音波とは、互いに逆相になってその中間位置にて合成されてマイクロホンに収音されることになる。
【００１３】
つまり、基準ヘッドホンユニットの音響性能と被測定ヘッドホンユニットの音響性能とに差がない場合には、それぞれから出力される音波も等しく、音場に出力される正の音波による圧力と負の音波による圧力との均衡がとれる結果、音場の気圧は実質的に変化せず、マイクロホン内部の振動板も振動することはないので、音成分は検出されない。
【００１４】
また、基準ヘッドホンユニットの音響性能と被測定ヘッドホンユニットの音響性能とに差がある場合には、マイクロホン内部の振動板が振動して音成分が検出されることになる。
【００１５】
そして、検出される音波は、レベルメータに表示される針の振れを目視することでその適否を判断することができるので、ヘッドホンユニットの組立工程中であってもその出力値を読み取ることなく、容易に音響性能のバラツキを確認することができることになる。
【発明の概要】
【発明が解決しようとする課題】
【００１６】
しかし、人工耳で測定する従来手法による場合には、ステレオヘッドホンの人工耳への取り付け方の如何により、イヤーパッドからの音波の漏洩が発生したり、各ヘッドホンユニットからの距離にバラツキが生じたりすることから、低音特性は大きく変化して正確な測定が難しくなってそれだけ慎重に測定しなければならないことから、測定に要する時間も増えてしまうという不都合があった。
【００１７】
また、特許文献１のヘッドホンユニットの検査方法による場合には、周囲の雑音等により測定誤差が生じやすいほか、検査のための装置構成も複雑化してしまうという不具合があった。
【００１８】
本発明は、従来技術の上記課題に鑑み、人工耳を用いない簡単な構成のもとで周囲の環境等の影響も受けることなく誤差を少なくして音響性能を検査することができるヘッドホンユニット検査装置を提供することに目的がある。
【課題を解決するための手段】
【００１９】
本発明は、上記目的を達成すべくなされたものであり、検査対象として用意される一対のヘッドホンユニットとの間で交流ブリッジを形成すべく配置される抵抗値のそろった一対の固定抵抗と、形成された前記交流ブリッジの検出端に接続される平衡入力をもつ交流検流計と、前記ヘッドホンユニットのそれぞれを音響的に同一の状態とするなかで周波数をスイープして動インピーダンスの差を前記交流検流計に検出させるべく配置される正弦波発信器とで構成したことを最も主要な特徴とする。
【００２０】
この場合、検査対象として用意される一対の前記ヘッドホンユニットは、完成ヘッドホンとして組み立てられる前または組み立てられた後のいずれの状態であってもよい。
【発明の効果】
【００２１】
請求項１に記載の発明によれば、ヘッドホンユニットを人工耳に取り付けることなく、交流ブリッジの検出端に平衡入力をもつ交流検流計を接続して動インピーダンスの差を単に検出するという簡単な装置構成のもとで、一対のヘッドホンユニットの音響性能のバラツキを精度よく検出することができる。
【００２２】
また、請求項２に記載の発明によれば、完成ヘッドホンとして組み立てた後に音響性能のバラツキがあるか否かを検査することができるはもとより、その組み立て前にも左右の特性がそろったヘッドホンユニットを選別しておくことで、音響性能にバラツキのない完成ヘッドホンとして事後的に組み立てることもできる。
【図面の簡単な説明】
【００２３】
【図１】本発明装置の一例を示す説明図。
【発明を実施するための形態】
【００２４】
本発明装置は、図１に示すように、検査対象として用意される一対のヘッドホンユニットとの間で交流ブリッジを形成すべく配置される抵抗値のそろった一対の固定抵抗と、形成された前記交流ブリッジの検出端に接続される平衡入力をもつ交流検流計と、前記ヘッドホンユニットのそれぞれを音響的に同一の状態とするなかで周波数をスイープして動インピーダンスの差を前記交流検流計に検出させるべく配置される正弦波発信器とで構成されている。
【００２５】
これを図１に基づいてより具体的に説明すれば、抵抗値のそろった一方の固定抵抗ＲＳ１と他方の固定抵抗ＲＳ２と、検査対象として用意される一対のヘッドホンユニットＺＬ，ＺＲとの間で交流ブリッジが形成される。
【００２６】
また、平衡入力をもつレベルメータなどの交流検流計Ｄは、このようにして形成された交流ブリッジの検出端ｔ１，ｔ２を介して接続されている。
【００２７】
さらに、オシレータなどの正弦波発信器Ｏは、ヘッドホンユニットＺＬ，ＺＲの左右を音響的に同一の状態、例えばヘッドホンユニットＺＬ，ＺＲを組み込んだヘッドホンの左右のハウジングを机等の支持台に載置するなどして音響的に同一の状態にした上で、その周波数をスイープして動インピーダンスの差を交流検流計Ｄで検出できるようにするために接続配置されている。なお、ここで生じる動インピーダンスの差は、共振周波数と共振鋭度との相違に由来する。
【００２８】
次に上記構成からなる本発明の作用効果を図１を参酌して説明すれば、抵抗値のそろった一方の固定抵抗ＲＳ１と他方の固定抵抗ＲＳ２との間で交流ブリッジを形成すべく、まず、検査対象として用意される一対のヘッドホンユニットＺＬ，ＺＲが接続される。
【００２９】
次いで、作業者は、ヘッドホンユニットＺＬ，ＺＲの左右を音響的に同一の状態にした上で、正弦波発信器Ｏの周波数をスイープする。
【００３０】
作業者は、このように正弦波発信器Ｏの周波数をスイープした際に発生する動インピーダンスの差を交流検流計Ｄの指針ｎの振れとして単に目視することで、ヘッドホンユニットＺＬ，ＺＲの音響性能にバラツキがあるかないかを容易に確認することができることになる。
【００３１】
すなわち、本発明によれば、ヘッドホンユニットＺＬ，ＺＲを測定誤差が生じがちな人工耳に取り付けることなく、交流ブリッジの検出端ｔ１，ｔ２に平衡入力をもつ交流検流計Ｄを接続して動インピーダンスの差を単に検出するという簡単な装置構成のもとで、一対のヘッドホンユニットＺＬ，ＺＲの音響性能のバラツキを精度よく検出することができることになる。
【００３２】
また、検査対象として用意される一対のヘッドホンユニットＺＬ，ＺＲは、ヘッドホン組立て前または組立て後のいずれであってもよいことから、ヘッドホン組立て後に音響性能のバラツキがあるか否かを検査することができるはもとより、ヘッドホン組立て前に左右の特性がそろったヘッドホンユニットＺＬ，ＺＲを選別しておくことで、音響性能にバラツキのないヘッドホンとして事後的に組み立てることもできることになる。
【００３３】
さらに、組立て完成後のヘッドホンが備える一対のヘッドホンユニットＺＬ，ＺＲが検査対象となっている場合には、該ヘッドホンが引出しコードの開放端部に備えるプラグを、一方の固定抵抗ＲＳ１と他方の固定抵抗ＲＳ２とに接続されているソケット側に単に差し込むだけで、図１の交流ブリッジを形成することができるので、簡単にそれぞれの音響性能を検査することができる。
【符号の説明】
【００３４】
ＺＬ，ＺＲ  ヘッドホンユニット
ＲＳ１，ＲＳ２  固定抵抗
ｔ１，ｔ２  検出端
Ｄ  交流検流計
ｎ  指針
Ｏ  正弦波発信器
【図１】
0005607999.tif 000002